(57)【特許請求の範囲】
【請求項１】
商品を収納する第１商品収納室と、商品を収納する第２商品収納室と、冷却手段により商品を冷却保冷し、コールド商品として収納するコールド商品収納室と、加熱手段により商品を加熱保温し、ホット商品として収納するホット商品収納室と、前記第１商品収納室から前記コールド商品収納室に商品を搬送する第１商品搬送手段と、前記第２商品収納室から前記ホット商品収納室に商品を搬送する第２商品搬送手段と、前記コールド商品収納室の冷気を前記第１商品収納室に流入させる第１通風手段と、前記ホット商品収納室の温気を前記第２商品収納室に流入させる第２通風手段とを備え、前記第１搬送手段は前記コールド商品の販売数に対応して商品を自動的に搬送し、前記第２搬送手段は前記ホット商品の販売数に対応して商品を自動的に搬送し、前記第１通風手段は前記コールド商品の販売数が時間当り所定数以上のときに冷気を流入させ、前記第２通風手段は前記ホット商品の販売数が時間当り所定数以上のときに温気を流入させるようにした自動販売機。
【請求項２】
補助冷却手段を備えて商品を収納する第１商品収納室と、補助加熱手段を備えて商品を収納する第２商品収納室と、冷却手段により商品を冷却保冷し、コールド商品として収納するコールド商品収納室と、加熱手段により商品を加熱保温し、ホット商品として収納するホット商品収納室と、前記第１商品収納室から前記コールド商品収納室に商品を搬送する第１搬送手段と、前記第２商品収納室から前記ホット商品収納室に商品を搬送する第２搬送手段とを備え、前記第１搬送手段は前記コールド商品の販売数に対応して商品を自動的に搬送し、前記第２搬送手段は前記ホット商品の販売数に対応して商品を自動的に搬送し、前記補助冷却手段は前記第１商品収納室の室温を所定温度以上にならないように冷却し、前記補助加熱手段は前記第２商品収納室の室温を所定温度以下にならないように加熱するようにした自動販売機。
【発明の詳細な説明】
【０００１】
【発明の属する技術分野】
本発明は、冷却保冷したコールド商品と、加熱保温したホット商品とを販売する自動販売機に関する。
【０００２】
【従来の技術】
近年、自動販売機の販売商品多様化に伴って、コールド商品とホット商品とを販売できるものが増加してきており、多室のホットアンドコールドタイプの自動販売機が特開平６−６０２６２号公報に開示されている。
【０００３】
以下、上記従来の自動販売機について図面を参照しながら説明する。図１１は従来の自動販売機の構成を示すブロック図である。図において、１は自動販売機の本体キャビネット、１Ａは冷却器２Ａを備えた冷却専用の商品収納室、１Ｂは冷却器２Ｂと加熱器３とを備えた冷温兼用の商品収納室である。冷却器２Ａおよび冷却器２Ｂは共通の１台の圧縮機４から個別に冷媒を供給されており、冷却器２Ａは電磁弁を介することなく直接に、また冷却器２Ｂは電磁弁５を介してそれぞれ冷媒配管６で圧縮機４と接続されている。この従来例は、冷却器２Ａについては電磁弁を省略した簡単な構成としながら商品収納室１Ａを過冷しないように制御することを特徴としている。なお、簡単のために凝縮器、膨張弁などは省略してある。
【０００４】
商品収納室１Ａと商品収納室１Ｂにはサーミスタからなる室温センサ７と室温センサ８がそれぞれ設置され、制御部９はこれらの温度信号に基づいて圧縮機４および電磁弁５をオンオフ制御する。ここで、制御部９内には冷却器２Ａと冷却器２Ｂをオンオフ制御するための上限温度と下限温度とが入力記憶され、また、商品収納室１Ｂの冷却と加熱とを切り替えるスイッチ１０が設けられ、それをオン側にすると加熱器３の通電回路が形成される。
【０００５】
上記構成においてその動作を説明する。スイッチ１０が冷却側で、商品収納室１Ａ、商品収納室１Ｂともに冷却設定の場合、電磁弁５を開にし、圧縮機４を動作させる。これにより、冷却器２Ａおよび冷却器２Ｂの双方に冷媒が供給され、商品収納室１Ａおよび商品収納室１Ｂの冷却が行われる。その後、商品収納室１Ｂが下限温度以下になれば電磁弁５を閉じ、商品収納室１Ａも下限温度以下になると圧縮機４を停止する。このようにして商品収納室１Ａ、商品収納室１Ｂを下限温度から上限温度の範囲の冷却温度に保ち、商品収納室１Ａについては電磁弁を省略しながら過冷を防止するようにしている。
【０００６】
なお、スイッチ１０が加熱側で、商品収納室１Ａが冷却設定、商品収納室１Ｂが加熱設定の場合、電磁弁５を閉にして冷却器２Ｂへの冷媒供給を停止するとともに加熱器３に通電し、上限温度になれば通電停止する。
【０００７】
【発明が解決しようとする課題】
このような従来の自動販売機では、冷却専用の商品収納室１Ａと、冷温兼用の商品収納室１Ｂとを１台の圧縮機４で冷却する構成を簡単にするように工夫されてはいるが、圧縮機４を効率的に運転する観点からみれば多くの問題が残されている。
【０００８】
まず、商品収納室１Ａ全体を冷却したり、商品収納室１Ｂ全体を冷却または加熱しているため、本体キャビネット１全体を通じて熱を吸収したり逃がしたりしてしまい、さらに、全体の商品を冷却または加熱することになるので、圧縮機４の運転時間や加熱器３の通電時間が長く、消費電力を増大させる。
【０００９】
また、極端にコールド商品とホット商品の販売数が異なった場合、たとえば、外気温度が上昇してコールド商品の販売数が予想以上に増加すると先にコールド商品数が少なくなり、商品収納室１Ａの商品を補充する必要が生じたり、商品収納室１Ｂを冷却設定に変更するには手間がかるとともに、商品を補充するときに商品収納室１Ａに外気が侵入し、商品収納室１Ｂが加熱設定の場合は外気に熱が流出するため、さらに圧縮機４の運転時間や加熱器３の通電時間が長く消費電力を増大させる。また、冷却設定に変更するとそれまで加熱していた商品を冷却する必要があり、さらに余分な電力を消費する。逆に、販売数が極端に低下した場合には余分な商品の冷却または加熱を続ける必要がある。
【００１０】
さらに、冷却器２Ａから離れた位置に収納されている商品は冷却されにくく、同様に加熱器３から離れた位置に収納されている商品は加熱されにくいので、時間当りの販売数が増大すると十分に冷却または加熱されていない商品を販売してしまう事態も発生する。これを防止するためには庫内の温度を均一にすればよいが、高い送風能力をもつファンを装備して常に運転制御させる必要があり、さらに消費電力を増大させる。
【００１１】
本発明は上記の課題を解決するもので、圧縮機やヒータを効率よく活用できて電力消費が少なく、販売数の変化に的確に対応できる自動販売機を提供することを目的とする。
【００１２】
【課題を解決するための手段】
商品を収納する第１商品収納室と、商品を収納する第２商品収納室と、冷却手段により商品を冷却保冷し、コールド商品として収納するコールド商品収納室と、加熱手段により商品を加熱保温し、ホット商品として収納するホット商品収納室と、前記第１商品収納室から前記コールド商品収納室に商品を搬送する第１商品搬送手段と、前記第２商品収納室から前記ホット商品収納室に商品を搬送する第２商品搬送手段と、前記コールド商品収納室の冷気を前記第１商品収納室に流入させる第１通風手段と、前記ホット商品収納室の温気を前記第２商品収納室に流入させる第２通風手段とを備え、前記第１搬送手段は前記コールド商品の販売数に対応して商品を自動的に搬送し、前記第２搬送手段は前記ホット商品の販売数に対応して商品を自動的に搬送し、前記第１通風手段は前記コールド商品の販売数が時間当り所定数以上のときに冷気を流入させ、前記第２通風手段は前記ホット商品の販売数が時間当り所定数以上のときに温気を流入させるようにした自動販売機である。
【００１３】
これにより、冷却保冷および加熱保温に要する電力が販売数に対応するので消費電力を低減できるとともに、所定数のコールド商品およびホット商品を維持するので販売数の変化にも的確に対応することができる。
【００１５】
【発明の実施の形態】
請求項１に係わる本発明において、第１商品収納室は冷却保冷前の商品を収納する収納室とし、第２商品収納室は加熱保温前の商品を収納する収納室とし、コールド商品収納室は冷却手段を備えて商品を冷却保冷し、コールド商品として収納する収納室とし、また、ホット商品収納室は加熱手段を備えて商品を加熱保温し、ホット商品として収納する収納室とする。第１商品収納室と第２商品収納室とコールド商品収納室とホット商品収納室とを相互に断熱壁で区分する。第１搬送手段は、第１商品収納室の商品収納棚から商品を受け取る傾斜した第１レールと、第１レールの経路上にあって第１商品収納室からコールド商品収納室に通ずる第１連通孔と、前記第１連通孔を開閉する第１フラップと、第１フラップを駆動する第１駆動手段とを備え、コールド商品が販売されるごとに第１フラップを開閉駆動することにより商品を自重により搬送する。また、第２搬送手段は、第２商品収納室の商品収納棚から商品を受け取る傾斜した第２レールと、第２レールの経路上にあって第２商品収納室からホット商品収納室に通ずる第２連通孔と、第２連通孔を開閉する第２フラップと、第２フラップを駆動する第２駆動手段とを備え、ホット商品が販売されるごとに第２フラップを開閉駆動することにより自重で商品を搬送する。第１通風手段は、第１商品収納室からコールド商品収納室に通ずる第１通風路と、第１通風路を開閉する第１ダンパと、第１ダンパを駆動する第１ダンパ駆動手段とを備え、コールド商品の時間当りの販売数が所定数以上であるときに第１ダンパを開くことにより冷気を第１商品収納室に流入させる。また、第２通風手段は、第２商品収納室からホット商品収納室に通ずる第２通風路と、第２通風路を開閉する第２ダンパと、第２ダンパを駆動する第２ダンパ駆動手段とを備え、ホット商品の時間当りの販売数が所定数以上であるときに第２ダンパを開くことにより温気を第２商品収納室に流入させる。
【００１６】
請求項２に係わる本発明において、第１商品収納室は補助冷却手段を備えた商品収納室とし、第２商品収納室は補助加熱手段を備えた商品収納室とし、コールド商品収納室は冷却手段を備えて商品を冷却保冷し、コールド商品として収納する収納室とし、また、ホット商品収納室は加熱手段を備えて商品を加熱保温し、ホット商品として収納する収納室とする。前記第１商品収納室と前記第２商品収納室と前記コールド商品収納室と前記ホット商品収納室とを相互に断熱壁で区分する。第１搬送手段は、前記第１商品収納室の商品収納棚から商品を受け取る傾斜した第１レールと、前記第１レールの経路上にあって前記第１商品収納室から前記コールド商品収納室に通ずる第１連通孔と、前記第１連通孔を開閉する第１フラップを備え、前記コールド商品が販売されるごとに前記第１フラップを開閉駆動することにより商品を自重で搬送する。また、第２搬送手段は、前記第２商品収納室の商品収納棚から商品を受け取る傾斜した第２レールと、前記第２レールの経路上にあって前記第２商品収納室から前記ホット商品収納室に通ずる第２連通孔と、前記第２連通孔を開閉する第２フラップを備え、前記ホット商品が販売されるごとに前記第２フラップを開閉駆動することにより商品を自重で搬送する。また、前記第１商品収納室は前記補助冷却手段により室温を所定上限温度以下に保持し、前記第２商品収納室は前記補助加熱手段により室温を所定下限温度以上に保持する。
【００１７】
以下、実施例について説明する。
【００１８】
【実施例】
（実施例１）
以下、本発明の自動販売機の実施例１について図面を参照しながら説明する。
【００１９】
図１は本実施例の構成を示す側断面図である。なお、従来例と同じ構成要素には同一番号を付与して詳細な説明を省略する。
【００２０】
図において、２０は商品２１を温度調節せずに収納しておく商品収納室、２２ａは冷却器２により所定の温度に冷却保冷したコールド商品２１ａを収納するコールド商品収納室、２２ｂは加熱器３により所定の温度に加熱保温したホット商品２１ｂを収納するホット商品収納室であり、各収納室の間は断熱壁２３、２３ａ、２３ｂで区切られている。冷却器２は冷凍サイクルを構成する蒸発器や、電子式の冷却器など、電気入力を冷却エネルギーに変換するどのような種類のものでもよい。加熱器３は冷凍サイクルを構成する凝縮器や、電気ヒータなど、電気入力を熱エネルギーに変換するものや、ガスヒータなどの種類のものでもよい。
【００２１】
２４は商品収納室２０内に備えた商品収納棚、２４ａはコールド商品収納室２２ａ内に備えた商品収納棚、２４ｂはホット商品収納室２２ｂ内に備えた商品収納棚であり、それぞれ商品２１、冷却保冷されたコールド商品２１ａ、加熱保温されたホット商品２１ｂを順次載置して収容している。２５ａは傾斜した第１レール、２５ｂは傾斜した第２レール、２６ａは第１フラップ、２６ｂは第２フラップ、２７ａは断熱壁２３ａにおいて第１フラップ２６ａの位置に合わせて商品収納室２０とコールド商品収納室２２ａとを連通させる第１連通孔、２７ｂは断熱壁２３ｂにおいて第２フラップ２６ｂの位置に合わせて商品収納室２０とホット商品収納室２２ｂとを連通させる第２連通孔、２９ａは第１フラップ２６ａを開閉駆動する第１駆動手段、２９ｂは第２フラップ２６ｂを開閉駆動する第２駆動手段である。第１レール２５ａ、第１フラップ２６ａ、第１連通孔２７ａ、および第１駆動手段２９ａは商品収納室２０からコールド商品収納室２２ａへ商品２１を搬送する第１搬送手段を構成し、また、第２レール２５ｂ、第２フラップ２６ｂ、第２連通孔２７ｂ、および第２駆動手段２９ｂは商品収納室２０からホット商品収納室２２ｂへ商品２１を搬送する第２搬送手段を構成する。なお、図に示したように、第１レール２５ａは第２フラップ２６ｂを介して第２レール２５ｂに連結され、商品２１が商品収納棚２４→第２レール２５ｂ→第２フラップ２６ｂ→第１レール２５ａ→第１フラップ２６ａの経路を通るように構成したが、この逆の配置でもよい。また、このような構成により第１搬送手段と第２搬送手段とを全体として１つの搬送手段にまとめることができるが、それぞれ独立に構成してもよいことは言うまでもない。
【００２２】
コールド商品２１ａが販売されて商品収納棚２４ａの下方にある取り出し口（図示せず）から取り出されると、載置したコールド商品２１ａは順次自重により商品収納棚２４ａに案内されて取り出し口の方に滑っていく。同様に、ホット商品２１ｂが販売されて商品収納棚２４ｂの下方の取り出し口（図示せず）から取り出されると、載置したホット商品２１ｂは順次自重により商品収納棚２４ｂに案内されて取り出し口に滑っていく。２８ａはコールド商品２１ａを販売するときに押されるコールド商品販売ボタン、２８ｂはホット商品２１ｂを販売するときに押されるホット商品販売ボタンである。この商品販売ボタンのいずれかが購入者により押されると、その操作に対応して前記第１フラップ２６ａまたは前記第２フラップ２６ｂが開閉して商品２１が補充される。
【００２３】
図２は本実施例における制御系の構成を示すブロック図である。図において、２９ａは第１フラップ２６ａを矢印ａ方向に回動させて開閉させる第１駆動手段、２９ｂは第２フラップ２６ｂを矢印ｂ方向に回動させて開閉させる第２駆動手段、３０は第１駆動手段２９ａまたは第２駆動手段２９ｂを運転および停止する制御手段、３１はコールド商品販売ボタン２８ａまたはホット商品販売ボタン２８ｂが押されたことを検知する検知処理部であり、あらかじめ決められた設定に従って制御手段３０に第１駆動手段２９ａを運転させて第１フラップ２６ａを開け、または第２駆動手段２９ｂを運転させて第１フラップ２６ａを開け、所定時間が経過すると、第１駆動手段２９ａを運転させて第１フラップ２６ａを閉じ、または第２駆動手段２９ｂを運転させて第２フラップ２６ｂを閉じる。
【００２４】
上記構成においてその動作を説明する。図３は本実施例の動作を示すフローチャートである。検知処理部３１はステップ１→ステップ５→ステップ１のループにより、購入者がコールド商品販売ボタン２８ａまたはホット商品販売ボタン２８ｂを押したか否かを常にチェックしている。ステップ１でコールド商品販売ボタン２８ａが押されたことを検知するとステップ２に移行し、制御手段３０に第１駆動手段２９ａを運転させて第１フラップ２６ａを開け、ステップ３で時間のカウントを開始して所定時間が経過するのを待つ。第１フラップ２６ａを開けたとき、第１フラップ２６ａ上に載置している商品収納室２０の商品２１は自重で落下して第１連通孔２７ａを通過し、コールド商品収納室２２ａの商品収納棚２４ａ上に搬送される。ステップ３で所定時間を経過するとステップ４に移行し、検知処理部３１は制御手段３３に第１駆動手段２９ａを運転させて第１フラップ２６ａを閉じる。また、ステップ５で購入者がホット商品販売ボタン２８ｂを押したことを検知するとステップ６に移行し、制御手段３０に第２駆動手段２９ｂを運転させて第２フラップ２６ｂを開け、ステップ７に移行して所定時間が経過するのを待つ。第２フラップ２６ｂを開けたとき、第２フラップ２６ｂ上に載置している商品収納室２０の商品２１は自重で落下して第２連通孔２７ｂを通過し、ホット商品収納室２２ｂの商品収納棚２４ｂ上に搬送される。ステップ７で所定時間が経過するとステップ８に移行し、制御手段３０に第２駆動手段２９ｂを運転させて第２フラップ２６ｂを閉じる。
【００２５】
以上のように本実施例の自動販売機によれば、温度調節しない商品２１を収納する商品収納室２０と、冷却器２で商品２１を冷却保冷してコールド商品２１ａとして収納するコールド商品収納室２２ａと、加熱器３で商品２１を加熱保温してホット商品２１ｂとして収納するホット商品収納室２２ｂと、コールド商品２１ａまたはホット商品２１ｂの販売数に応じて商品収納室２０からコールド商品収納室２２ａまたはホット商品収納室２２ｂに選択的に商品２１を搬送する搬送手段とを備え、コールド商品２１ａまたはホット商品２１ｂが販売により少なくなると商品収納室２０から商品２１を搬送して補充するので、商品２１、２１ａ、および２１ｂのすべてを冷却保冷または加熱保温しないので消費電力が低減され、また、コールド商品２１ａとホット商品２１ｂとの販売数に差を生じても、それぞれ所定数のコールド商品２１ａとホット商品２１ｂを維持でき、絶えず販売数変化に対応することができる。
【００２６】
なお、本実施例ではコールド商品収納室２２ａとホット商品収納室２２ｂとをそれぞれ１室ずつ備えた場合について説明したが、それ以上であっても同様に構成できることは言うまでもない。
【００２７】
（実施例２）
以下、本発明の自動販売機の実施例２について図面を参照しながら説明する。図４は本実施例の構成を示す側断面図である。なお、実施例１と同じ構成要素には同一番号を付与して詳細な説明を省略する。
【００２８】
図において、３５ａは商品２１を収納する第１商品収納室、３５ｂは商品２１を収納する第２商品収納室、３６ａは第１通風路、３７ａは第１通風路３６ａの開口部を矢印ｃ方向に開閉する第１ダンパ、３８ａは第１ダンパ３７ａを駆動する第１ダンパ駆動手段、３６ｂは第２の通風路、３７ｂは第２通風路３６ｂの開口部を矢印ｄ方向に開閉する第２ダンパ、３８ｂは第２ダンパ３７ｂを駆動する第２ダンパ駆動手段である。
【００２９】
図５は本実施例における制御系の構成を示すブロック図である。図において、３９は演算処理部であり、タイマ機能とカウンタ機能とにより所定時間内にコールド商品販売ボタン２８ａが押された回数をカウントし、その回数が所定回数以上であるとき、制御手段３０に第１ダンパ駆動手段３８ａを運転させて、第１ダンパ３７ａを開け、また、前記所定回数未満であれば、第１ダンパ駆動手段３８ａを運転させて第１ダンパ３７ａを閉じる。ホット商品販売ボタン２８ｂ、第２ダンパ３７ｂ、第２ダンパ駆動手段３８ｂについても同様である。
【００３０】
上記構成においてその動作を説明する。まず、第１ダンパ３７ａの動作について説明する。図６は第１ダンパ３７ａに係わる動作を示すフローチャートである。冷却器２の運転中において、ステップ８で演算処理部３９はタイマを起動させるとともにカウンタの初期値をゼロに設定し、ステップ９→ステップ１２→ステップ１３→ステップ９のループにより、あらかじめ設定した所定時間内にコールド商品販売ボタン２８ａが何回作動したか、すなわちコールド商品が何個販売されたかをカウントする。ステップ９で所定時間を経過するとステップ１１に移行し、販売数Ｎが所定の販売数以上であるか否かを判定する。所定販売数Ｎ１以上であればステップ１４に移行し、演算処理部３９は制御手段３０に第１ダンパ駆動手段３８ａを運転させて第１ダンパ３７ａを開ける。これによりコールド商品収納部２２ａ内の冷気は第１通風路３６ａを通して第１商品収納室３５ａに流入し、第１商品収納室３５ａ内の商品２１も冷却するので、コールド商品２１ａの時間当りの販売数が急増して冷えていない商品を販売するのを防止できる。
【００３１】
ステップ１１で、販売数Ｎが所定販売数Ｎ１未満であればステップ１４に移行して、演算処理部３９は制御手段３０に第１ダンパ駆動手段３８ａを運転させて第１ダンパ３７ａを閉じる。これによりコールド商品収納室２２ａ内の冷気は第１商品収納室３５ａに流入せず、第１商品収納室３５ａ内の商品２１は冷却されないので、コールド商品２１ａの時間当りの販売数が減少した場合に必要数以上の商品を冷却保冷して冷却器２の消費電力を増大させるのを防止する。
【００３２】
つぎに、第２ダンパ３７ｂの動作について説明する。図７は第２ダンパ３７ｂに係わる動作を示すフローチャートである。この動作はホット商品２１ｂについて図６に示した動作と同様に処理するものであり、詳細な説明は省略する。加熱器３の運転中の所定時間内にホット商品２１ｂの販売数Ｎが所定販売数Ｎ２以上であった場合は、演算処理部３９は制御手段３０に第２ダンパ駆動手段３８ｂを運転させて第２ダンパ３７ｂを開ける。これによりホット商品収納室２２ｂ内の温気は第２通風路３６ｂを通じて第２商品収納室３５ｂに流入し、第２商品収納室３５ｂ内の商品２１も加熱するので、ホット商品２１ｂの時間あたりの販売数が急増しても、十分に加熱されていない商品を販売するのを防止することができる。
【００３３】
また、所定時間内のホット商品２１ｂの販売数Ｎが所定販売数Ｎ２未満であれば、演算処理部３９は制御手段３０に第２ダンパ駆動手段３８ｂを運転させて第２ダンパ３７ｂを閉じる。これによりホット商品収納室２２ｂ内の温気は第２商品収納室３５ｂに流入せず、第２商品収納室３５ｂ内の商品２１は加熱されないので、ホット商品２１ｂの時間あたりの販売数が減少した場合に必要数以上の商品を加熱保温して加熱器３の消費電力を増大させるのを防止することができる。
【００３４】
（実施例３）
以下、本発明の自動販売機の実施例３について図面を参照しながら説明する。
【００３５】
図８は本実施例の構成を示す側断面図である。なお、実施例２と同じ構成要素には同一番号を付与して詳細な説明を省略する。図において、４０は第１商品収納室３５ａに設置され、その室内を冷却する補助冷却器、４１は第２商品収納室３５ｂに設置され、その室内を加熱する補助加熱器、４２ａは第１商品収納室３５ａの温度を検知する第１温度センサ、４２ｂは第２商品収納室３５ｂの温度を検知する第２温度センサである。なお、補助冷却器４０は冷却器２と同一冷凍サイクル上にある２つの蒸発器の１つとし、開閉弁を用いて補助冷却器４０への冷媒の流入を制御する構成にしてもよい。
【００３６】
図９は本実施例における制御系の構成を示すブロック図である。演算処理部３９は第１温度センサ４２ａと第２温度センサ４２ｂの出力に基づいて制御手段３０に補助冷却器４０と補助加熱器４１の運転、停止を行わせる。
【００３７】
上記構成においてその動作を説明する。図１０は本実施例の動作を示すフローチャートである。ステップ１５において、演算処理部３９は第１温度センサ４２ａの出力に基づいて第１商品収納室３５ａの温度が所定の上限温度Ｔ１以上であるか否かチェックし、Ｔ１以上であればステップ１６で補助冷却器４０をオンとしてステップ１８に移行し、また、未満であればステップ１７で補助冷却器４０をオフとしてステップ１８に移行する。ステップ１８では第２温度センサ４２ｂの出力に基づいて第２商品収納室３５ｂの温度が所定の下限温度Ｔ２以下であるか否かをチェックし、Ｔ２以下であればステップ１９で補助加熱器４１をオンとしてステップ１６に、Ｔ２を越える場合は補助加熱器４１をオフとしてステップ１５に戻る。
【００３８】
以上の動作により、第１商品収納室３５ａは上限温度Ｔ１より低く保たれ、外気温度が急激に上昇してコールド商品２１ａの販売が急増した場合でも、第１商品収納室３５ａから搬送された商品２１がほぼ所定の温度Ｔ１まで冷却されているため、必要以上に冷却器２の運転能力を上げて冷却器２近傍のコールド商品の温度を下げ過ぎたり凍結させるのを防止でき、所定の温度のコールド商品を大量に販売することができる。また、第２商品収納室３５ｂは下限温度Ｔ２より高く保たれ、外気温度が急激に下降してホット商品２１ｂの販売が急増した場合でも、第２商品収納室３５ｂから搬送された商品２１がほぼ所定の温度Ｔ２まで加熱されているため、必要以上に加熱器３の運転能力を上げて加熱器３の近傍のホット商品２１ｂの温度を上げ過ぎるのを防止でき、所定の温度のホット商品２１ｂを大量に販売できるとともに、第２商品収納室内３５ｂの商品の凍結も防止することができる。
【００４０】
【発明の効果】
請求項１に係わる本発明の自動販売機は、コールド商品の販売数に対応して第１商品収納室の商品をコールド商品収納室に搬送し、また、ホット商品の販売数に対応して第２商品収納室の商品をホット商品収納室に搬送することにより、余分な商品まで冷却保冷または加熱保温しないので消費電力を低減できるとともに、コールド商品の時間当りの販売数が所定値以上であるときにはコールド商品収納室の冷気を第１商品収納室に流入させ、ホット商品の時間当り販売数が所定数以上であるときにはホット商品収納室の温気を第２収納室に流入させることにより、商品が予冷または予熱されるので、急激な販売数の変化にも冷却不足のコールド商品や加熱不足のホット商品もなく所定数のコールド商品およびホット商品をそれぞれ維持でき、販売数の変化に的確に対応することができる。
【００４１】
請求項２に係わる本発明の自動販売機は、コールド商品の販売数に対応して第１商品収納室の商品をコールド商品収納室に搬送し、また、ホット商品の販売数に対応して第２商品収納室の商品をホット商品収納室に搬送することにより、余分な商品まで冷却保冷または加熱保温しないので消費電力を低減できるとともに、第１商品収納室を補助冷却し、また第２商品収納室を補助加熱することにより、商品が予冷または予熱されるので、非常に急激な販売数の変化にも冷却不足や冷却器近傍の過冷却のコールド商品、および加熱不足や加熱器近傍の過加熱のホット商品もなく所定数のコールド商品およびホット商品をそれぞれ維持でき、販売数の急激な変化に的確に対応することができる。
【図面の簡単な説明】
【図１】本発明の自動販売機の実施例１の構成を示す側断面図
【図２】同実施例の制御系の構成を示すブロック図
【図３】同実施例の動作を示すフローチャート
【図４】本発明の自動販売機の実施例２の構成を示す側断面図
【図５】同実施例の制御系の構成を示すブロック図
【図６】同実施例における第１ダンパに係わる動作を示すフローチャート
【図７】同実施例における第２ダンパに係わる動作を示すフローチャート
【図８】本発明の自動販売機の実施例３の構成を示す側断面図
【図９】同実施例の制御系の構成を示すブロック図
【図１０】同実施例の動作を示すフローチャート
【図１１】従来の自動販売機の構成を示すブロック図
【符号の説明】
１  本体キャビネット
２，２Ａ，２Ｂ  冷却器（冷却手段）
３  加熱器（加熱手段）
７，８  室温センサ
２０  商品収納室
２１  商品
２１ａ  コールド商品
２１ｂ  ホット商品
２２ａ  コールド商品収納室
２２ｂ  ホット商品収納室
２３，２３ａ，２３ｂ  断熱壁
２４，２４ａ，２４ｂ  商品収納棚
２５ａ  第１レール（第１搬送手段）
２５ｂ  第２レール（第２搬送手段）
２６ａ  第１フラップ（第１搬送手段）
２６ｂ  第２フラップ（第２搬送手段）
２７ａ  第１連通孔（第１搬送手段）
２７ｂ  第２連通孔（第２搬送手段）
２８ａ  コールド商品販売ボタン
２８ｂ  ホット商品販売ボタン
２９ａ  第１駆動手段（第１搬送手段）
２９ｂ  第２駆動手段（第２搬送手段）
３０  制御手段
３１  検知処理部
３５ａ  第１商品収納室
３５ｂ  第２商品収納室
３６ａ  第１通風路（第１通風手段）
３６ｂ  第２通風路（第２通風手段）
３７ａ  第１ダンパ（第１通風手段）
３７ｂ  第２ダンパ（第２通風手段）
３８ａ  第１ダンパ駆動手段（第１通風手段）
３８ｂ  第２ダンパ駆動手段（第２通風手段）
３９  演算処理部
４０  補助冷却器（補助冷却手段）
４１  補助加熱器（補助加熱手段）
４２ａ  第１温度センサ（補助冷却手段）
４２ｂ  第２温度センサ（補助加熱手段）
【図１】
0003839521.tif 000002
【図２】
0003839521.tif 000003
【図３】
0003839521.tif 000004
【図４】
0003839521.tif 000005
【図５】
0003839521.tif 000006
【図６】
0003839521.tif 000007
【図７】
0003839521.tif 000008
【図８】
0003839521.tif 000009
【図９】
0003839521.tif 000010
【図１０】
0003839521.tif 000011
【図１１】
0003839521.tif 000012